(57)【要約】【課題】長さが長くても光の利用効率の高い線状照明装置を提供する。【解決手段】線状照明装置１００は、第１の導光部１２１と、第１の入射端部１２１ｄに入射する光を発光する第１の発光部１２２と、第１の導光部１２１の他方の端部であって、第１の入射端部１２１ｄから入射して第１の導光部中を伝ってきた光を反射する第１の反射端部１２１ｅと、第２の導光部１３１と、第２の導光部１３１の一方の端部である第２の入射端部１３１ｄに入射する光を発光する第２の発光部１３２と、第２の導光部１３１の他方の端部であって、第２の入射端部１３１ｄから入射して第２の導光部中を伝ってきた光を反射する第２の反射端部１３１ｅとを備える。そして、第１の導光部１２１と第２の導光部１３１とは、第１の反射端部１２１ｅと第２の反射端部１３１ｅとが対向するように配置されている。【選択図】図２
2011086447.tif 000002
【特許請求の範囲】
【請求項１】
線状に形成された第１の導光部と、
前記第１の導光部の一方の端部である第１の入射端部に入射する光を発光する第１の発光部と、
前記第１の導光部の他方の端部であって、前記第１の入射端部から入射して前記第１の導光部中を伝ってきた光を反射する第１の反射端部と、
線状に形成された第２の導光部と、
前記第２の導光部の一方の端部である第２の入射端部に入射する光を発光する第２の発光部と、
前記第２の導光部の他方の端部であって、前記第２の入射端部から入射して前記第２の導光部中を伝ってきた光を反射する第２の反射端部と、
を備え、
前記第１の導光部と前記第２の導光部とは、前記第１の反射端部と前記第２の反射端部とが対向するように配置されていること、
を特徴とする線状照明装置。
【請求項２】
請求項１に記載の線状照明装置において、
前記第１の導光部と前記第２の導光部とは、一体で形成されていること、
を特徴とする線状照明装置。
【請求項３】
請求項１又は請求項２に記載の線状照明装置において、
前記第１の導光部と、前記第１の発光部と、前記第２の導光部と、前記第２の発光部とを含む発光本体と、
前記発光本体との位置が相対的に移動可能な状態で前記発光本体の端部が挿入された支持部材と、
前記発光本体の少なくとも一端側に配置され、前記支持部材の外形形状の少なくとも一部が係合して前記支持部材を固定する固定部を有する固定部材と、
を備え、
前記固定部材は、前記発光本体の端部が突出する位置に前記支持部材を移動した状態では、前記発光本体及び前記支持部材を着脱自在であり、かつ、前記発光本体の端部よりも前記支持部材が突出する位置に前記支持部材を移動した状態では、前記固定部と前記支持部材とが係合する位置に配置されていること、
を特徴とする線状照明装置。
【請求項４】
請求項１から請求項３までのいずれか１項に記載の線状照明装置において、
前記第１の導光部及び前記第２の導光部の周囲に配置され、前記第１の導光部及び前記第２の導光部から出射する光を反射して配光方向を制御する反射部材を備えること、
を特徴とする線状照明装置。
【請求項５】
請求項１から請求項４までのいずれか１項に記載の線状照明装置において、
前記第１の導光部及び／又は前記第２の導光部の外周面に接触して前記第１の導光部及び／又は前記第２の導光部の支持を補助する支持補助部材を備え、
前記支持補助部材の前記第１の導光部及び／又は前記第２の導光部の外周面に接触する接触部は、反射面として形成されていること、
を特徴とする線状照明装置。
【発明の詳細な説明】
【技術分野】
【０００１】
本発明は、導光体により光を導いて線状に照明光を出射する線状照明装置に関するものである。
【背景技術】
【０００２】
ＬＥＤ（Light Emitting Diode：発光ダイオード）が照明光として利用されている。ＬＥＤは、低消費電力、長寿命、低発熱等、多くの利点を有している。ＬＥＤを照明光として利用する照明装置として、線状に光を放出する線状照明装置が知られている（例えば、特許文献１）。
また、複数の線状導光体を繋げて、より長い線状照明装置とする形態が特許文献２に開示されている。
特許文献２に開示されている線状発光装置では、第１線状導光体と第２線状導光体とを繋げている部分で双方の光が通過可能な形態としている。
【先行技術文献】
【特許文献】
【０００３】
【特許文献１】特開２００５−１４８５４号公報
【特許文献２】特開２００８−８４８０１号公報
【発明の概要】
【発明が解決しようとする課題】
【０００４】
しかし、特許文献２の装置では、一端の光源から発した光は、２つの線状導光体中を伝わって他端の光源まで到達する。その他端の光源に到達した光は、光源部分でその多くが吸収されてしまい、照明光として利用できなかった。よって、光の利用効率が低く、明るさが不十分であったり、明るさの割に消費電力が高かった。
また、第１線状導光体と第２線状導光体とを繋げている部分で双方の光が通過可能とするために、第１線状導光体と第２線状導光体とをケースに固定している。したがって、特許文献２の装置は、ケースが必須の形態であり、ケースの形状によって使用形態が制限される等して光の出射方向が限定されてしまう場合があり、使い勝手が悪かった。
さらに、第１線状導光体と第２線状導光体とが直接接続されていないことから、全体の強度がケースの強度に依存することとなり、必要な強度を確保するためには、全体が大型化してしまうおそれがあった。
さらにまた、線状照明装置では、様々な方向に導光体から光が出射するので、用途によっては、不要な方向にまで光が出射されてしまう場合があった。
その上、導光体を支持する場合に、その支持部において全反射条件を満たすことができずに、支持部から光が漏れてしまい、必要な照明光の光量が低下してしまう場合があった。
【０００５】
本発明の第１の課題は、長さが長くても光の利用効率の高い線状照明装置を提供することである。本発明の第２の課題は、発光部と導光体とを有した発光本体のみであっても使用可能な線状照明装置を提供することである。本発明の第３の課題は、発光本体のみで十分な強度を有する線状照明装置を提供することである。本発明の第４の課題は、簡単な構成で配光特性を制御できる線状照明装置を提供することである。本発明の第５の課題は、導光体を支持する場合に、その支持部から光が漏れることを防止できる線状照明装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、線状に形成された第１の導光部（１２１，２２１）と、前記第１の導光部の一方の端部である第１の入射端部（１２１ｄ）に入射する光を発光する第１の発光部（１２２）と、前記第１の導光部の他方の端部であって、前記第１の入射端部から入射して前記第１の導光部中を伝ってきた光を反射する第１の反射端部（１２１ｅ）と、線状に形成された第２の導光部（１３１，２３１）と、前記第２の導光部の一方の端部である第２の入射端部（１３１ｄ）に入射する光を発光する第２の発光部（１３２）と、前記第２の導光部の他方の端部であって、前記第２の入射端部から入射して前記第２の導光部中を伝ってきた光を反射する第２の反射端部（１３１ｅ）とを備え、前記第１の導光部と前記第２の導光部とは、前記第１の反射端部と前記第２の反射端部とが対向するように配置されていることを特徴とする線状照明装置（１００）である。
【０００７】
請求項２の発明は、請求項１に記載の線状照明装置において、前記第１の導光部（２２１）と前記第２の導光部（２３１）とは、一体で形成されていることを特徴とする線状照明装置である。
【０００８】
請求項３の発明は、請求項１又は請求項２に記載の線状照明装置において、前記第１の導光部（１２１，２２１）と、前記第１の発光部（１２２）と、前記第２の導光部（１３１，２３１）と、前記第２の発光部（１３２）とを含む発光本体（１１０）と、前記発光本体との位置が相対的に移動可能な状態で前記発光本体の端部が挿入された支持部材（１６０）と、前記発光本体の少なくとも一端側に配置され、前記支持部材の外形形状の少なくとも一部が係合して前記支持部材を固定する固定部（１５０ａ）を有する固定部材（１５０）とを備え、前記固定部材は、前記発光本体の端部が突出する位置に前記支持部材を移動した状態では、前記発光本体及び前記支持部材を着脱自在であり、かつ、前記発光本体の端部よりも前記支持部材が突出する位置に前記支持部材を移動した状態では、前記固定部と前記支持部材とが係合する位置に配置されていることを特徴とする線状照明装置（１００）である。
【０００９】
請求項４の発明は、請求項１から請求項３までのいずれか１項に記載の線状照明装置において、前記第１の導光部（１２１）及び前記第２の導光部（１３１）の周囲に配置され、前記第１の導光部及び前記第２の導光部から出射する光を反射して配光方向を制御する反射部材（３１０）を備えることを特徴とする線状照明装置（３００）である。
【００１０】
請求項５の発明は、請求項１から請求項４までのいずれか１項に記載の線状照明装置において、前記第１の導光部及び／又は前記第２の導光部の外周面に接触して前記第１の導光部及び／又は前記第２の導光部の支持を補助する支持補助部材を備え、前記支持補助部材の前記第１の導光部及び／又は前記第２の導光部の外周面に接触する接触部は、反射面として形成されていることを特徴とする線状照明装置である。
【発明の効果】
【００１１】
本発明によれば、以下の効果を奏することができる。
【００１２】
（１）本発明の線状照明装置は、第１の反射端部と第２の反射端部とが対向するように第１の導光部と前記第２の導光部とが配置されているので、長さが長くても光の利用効率の高い線状照明装置を実現できる。また、発光本体のみであっても使用可能な線状照明装置を実現できる。さらに、発光本体のみで十分な強度を有することができる。
【００１３】
（２）本発明の線状照明装置は、第１の導光部と前記第２の導光部とが、一体で形成されているので、発光本体のみの強度をさらに高めることができる。
【００１４】
（３）本発明の線状照明装置は、固定部材が、発光本体の端部が突出する位置に支持部材を移動した状態では、発光本体及び支持部材を着脱自在であり、かつ、発光本体の端部よりも支持部材が突出する位置に支持部材を移動した状態では、固定部と支持部材とが係合する位置に配置されている。よって、発光本体の装着及び取り外しを容易に行うことができる。また、発光本体を支持部材に挿入する部位、又は、支持部材が固定部に係合する部位の少なくとも一部を円筒面とすることにより、発光本体をその軸線まわりで回転可能に支持でき、発光本体から出射する光の方向を変更できる。
【００１５】
（４）本発明の線状照明装置は、第１の導光部及び第２の導光部から出射する光を反射して配光方向を制御する反射部材を備えるので、簡単な構成で配光特性を制御できる。
【００１６】
（５）本発明の線状照明装置は、支持補助部材の第１の導光部及び／又は第２の導光部の外周面に接触する接触部が、反射面として形成されているので、第１の導光部及び／又は第２の導光部を支持する場合に、その支持部から光が漏れることを防止できる。
【図面の簡単な説明】
【００１７】
【図１】本発明による線状照明装置の第１実施形態を示す斜視図である。
【図２】発光本体１１０を示す斜視図である。
【図３】発光本体１１０を一部透視して示す側面図である。
【図４】第１の発光ユニット１２０を示す断面図である。
【図５】固定部材１５０を示す斜視図である。
【図６】固定部材１５０を各種方向から示す図である。
【図７】固定部材１５０に発光本体１１０を固定する工程の第１段階を示す図である。
【図８】固定部材１５０に発光本体１１０を固定する工程の第２段階を示す図である。
【図９】固定部材１５０に発光本体１１０を固定する工程の第３段階を示す図である。
【図１０】固定部材１５０に発光本体１１０を固定した状態を示す図である。
【図１１】本発明による線状照明装置の第２実施形態における発光本体２１０を示す側面図である。
【図１２】本発明による線状照明装置の第３実施形態を示す斜視図である。
【図１３】線状照明装置３００を発光本体１１０の軸線に直交する面で切断した断面図である。
【発明を実施するための形態】
【００１８】
以下、本発明を実施するための最良の形態について図面等を参照して説明する。
【００１９】
（第１実施形態）
図１は、本発明による線状照明装置の第１実施形態を示す斜視図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
第１実施形態の線状照明装置１００は、発光本体１１０と、ベース部１４０と、固定部材１５０とを備えている。
【００２０】
図２は、発光本体１１０を示す斜視図である。
図３は、発光本体１１０を一部透視して示す側面図である。
発光本体１１０は、第１の発光ユニット１２０と、第２の発光ユニット１３０とを備えている。
ここで、発光本体１１０の構成を詳しく説明する前に、第１の発光ユニット１２０の構成を先に説明する。
【００２１】
図４は、第１の発光ユニット１２０を示す断面図である。図４（ａ）は、第１の発光ユニット１２０を軸線に沿って切断した断面図であり、図４（ｂ）は、図４（ａ）中に示した矢印ＡＡで切断した断面図である。なお、第２の発光ユニット１３０は、第１の発光ユニット１２０と同一の形態をしているので、図４中には、第２の発光ユニット１３０の符号を括弧内に併記している。
第１の発光ユニット１２０は、第１の導光部１２１と、第１の発光部１２２と、第１の反射部１２３とを備えている。
【００２２】
第１の導光部１２１は、コア１２１ａと、クラッド１２１ｂと、拡散部１２１ｃとを有している導光体である。また、以下の説明では、図４中で第１の導光部１２１の右側の端部、すなわち、第１の発光部１２２が設けられている側の端部を第１の入射端部１２１ｄと呼ぶ。また、図４中で第１の導光部１２１の左側の端部、すなわち、第１の反射部１２３が設けられている側の端部を第１の反射端部１２１ｅと呼ぶ。
【００２３】
コア１２１ａは、略円柱状に形成されている。コア１２１ａには、例えば、アクリル系樹脂のように光透過性の高い透明樹脂材料等が用いられる。
【００２４】
クラッド１２１ｂは、コア１２１ａの円筒外周面を覆うように形成されている。クラッド１２１ｂは、コア１２１ａと比べて相対的に屈折率の低い透明樹脂材料、例えば、アクリル系樹脂が用いられる。コア１２１ａとクラッド１２１ｂとの間の境界面では、後述の第１の発光部１２２から第１の入射端部１２１ｄへ入射した光を全反射する。これにより、光は、コア１２１ａ内を第１の反射端部１２１ｅ方向へ伝わる。同様に、後述の第１の反射部１２３により反射した光は、コア１２１ａとクラッド１２１ｂとの間の境界面で全反射して第１の入射端部１２１ｄ方向へ伝わる。
【００２５】
拡散部１２１ｃは、コア１２１ａとクラッド１２１ｂとの間に設けられており、所定の幅を保って第１の導光部１２１の軸線に沿った方向に延在している。拡散部１２１ｃは、例えば、白色の塗料や樹脂により形成されており、第１の導光部１２１中を伝わる光の一部を拡散反射する。拡散部１２１ｃにより拡散反射した光の一部は、コア１２１ａとクラッド１２１ｂとの間の境界面で全反射条件を満たさずに、第１の導光部１２１から出射する。
【００２６】
第１の発光部１２２は、第１の入射端部１２１ｄに対して接合されている。第１の発光部１２２は、発光素子１２２ａと、配線部１２２ｂとを備えている。
発光素子１２２ａは、照明光を発光する光源であって、本実施形態では、ＬＥＤ（Light Emitting Diode：発光ダイオード）を用いている。なお、発光素子１２２ａは、ＬＥＤに限らず、電球や蛍光灯やＨＩＤランプ（High Intensity Discharge lamp）等、他の種類の光源を用いてもよい。第１の発光部１２２が発光する光は、第１の入射端部１２１ｄから第１の導光部１２１内に入射する。
配線部１２２ｂは、フレキシブルプリント配線板やリード線等により形成されている。配線部１２２ｂは、発光素子１２２ａへの電気的配線を行う。
【００２７】
第１の反射部１２３は、第１の反射端部１２１ｅに対して接合、又は、塗布されている。第１の反射部１２３は、第１の入射端部１２１ｄ方向から到達する光を反射して第１の入射端部１２１ｄ方向へ戻す。なお、第１の反射部１２３は、光を正規反射するものでもよいし、拡散反射するものであってもよい。本実施形態の第１の反射部１２３は、その厚さが１００μｍ程度のＰＥＴｆｉｌｍに銀蒸着をして、表面をカバーコートして形成されている。
【００２８】
また、上述したように、第２の発光ユニット１３０は、第１の発光ユニット１２０と同一の形態をしている。すなわち、第２の発光ユニット１３０は、第２の導光部１３１と、第２の発光部１３２と、第２の反射部１３３とを備えている。
【００２９】
第２の導光部１３１は、コア１３１ａと、クラッド１３１ｂと、拡散部１３１ｃとを有している導光体である。また、以下の説明では、図４中で第２の導光部１３１の右側の端部、すなわち、第２の発光部１３２が設けられている側の端部を第２の入射端部１３１ｄと呼ぶ。また、図４中で第２の導光部１３１の左側の端部、すなわち、第２の反射部１３３が設けられている側の端部を第２の反射端部１３１ｅと呼ぶ。
【００３０】
コア１３１ａは、略円柱状に形成されている。コア１３１ａには、例えば、アクリル樹脂のように光透過性の高い透明樹脂材料等が用いられる。
【００３１】
クラッド１３１ｂは、コア１３１ａの円筒外周面を覆うように形成されている。クラッド１３１ｂは、コア１３１ａと比べて相対的に屈折率の低い透明材料が用いられる。コア１３１ａとクラッド１３１ｂとの間の境界面では、後述の第２の発光部１３２から第２の入射端部１３１ｄへ入射した光を全反射する。これにより、光は、コア１３１ａ内を第２の反射端部１３１ｅ方向へ伝わる。同様に、後述の第２の反射部１３３により反射した光は、コア１３１ａとクラッド１３１ｂとの間の境界面で全反射して第２の入射端部１３１ｄ方向へ伝わる。
【００３２】
拡散部１３１ｃは、第２の導光部１３１の軸線に沿った方向に所定の幅を保って、コア１３１ａとクラッド１３１ｂとの間に延在している。拡散部１３１ｃは、例えば、白色の塗料や樹脂により形成されており、第２の導光部１３１中を伝わる光の一部を拡散反射する。拡散部１３１ｃにより拡散反射した光の一部は、コア１３１ａとクラッド１３１ｂとの間の境界面で全反射条件を満たさずに、第２の導光部１３１から出射する。
【００３３】
第２の発光部１３２は、第２の入射端部１３１ｄに対して接合されている。第２の発光部１３２は、発光素子１３２ａと、配線部１３２ｂとを備えている。
発光素子１３２ａは、照明光を発光する光源であって、本実施形態では、ＬＥＤを用いている。なお、発光素子１３２ａは、ＬＥＤに限らず、電球や蛍光灯やＨＩＤランプ等、他の種類の光源を用いてもよい。第２の発光部１３２が発光する光は、第２の入射端部１３１ｄから第２の導光部１３１内に入射する。
配線部１３２ｂは、フレキシブルプリント配線板やリード線等により形成されている。配線部１３２ｂは、発光素子１３２ａへの電気的配線を行う。
【００３４】
第２の反射部１３３は、第２の反射端部１３１ｅに対して接合、又は、塗布されて形成された反射材である。第２の反射部１３３は、第２の入射端部１３１ｄ方向から到達する光を反射して第２の入射端部１３１ｄ方向へ戻す。なお、第２の反射部１３３は、光を正規反射するものでもよいし、拡散反射するものであってもよい。本実施形態の第２の反射部１３３は、その厚さが１００μｍ程度のＰＥＴｆｉｌｍに銀蒸着をして、表面をカバーコートして形成されている。
【００３５】
図２及び図３に戻って、第１の発光ユニット１２０と第２の発光ユニット１３０とは、第１の反射部１２３と第２の反射部１３３とを接合することにより、接合されている。具体的には、アクリル系の接着剤を用いて第１の反射部１２３と第２の反射部１３３とを接合している。第１の反射部１２３と第２の反射部１３３との接合の用いる接着剤は、アクリル系に限らず、例えば、エポキシ系の接着剤や、シリコン系の接着剤等、他の種類の接着剤を用いてもよい。なお、本実施形態では、第１の発光ユニット１２０と第２の発光ユニット１３０とを接合したもの同士を、さらに、第１の発光部１２２と第２の発光部１３２とを接合することにより、接合している例を図示しているが、このさらなる接合は必須の要件ではない。
【００３６】
本実施形態では、上述したように、同一形態の第１の発光ユニット１２０と第２の発光ユニット１３０とを、第１の反射部１２３と第２の反射部１３３とを接合することにより接合している。したがって、光のムラをより少なくしながら、光の利用効率が高く長い照明を実現することができる。この理由を以下に説明する。
第１の入射端部１２１ｄから入射した光は、進行するに従って拡散材による拡散反射を受けて径方向に光を出射していく。そのため、光エネルギーは減少していく。これにより、第１の発光ユニット１２０の長さが長くなると、入射端付近が最も明るく、先に行くにつれて暗くなっていく傾向が強くなり、光のムラが目立つこととなる。従来は、このムラを目立たなくするために両端から光を入射させていた。しかし、両端から光を入射する場合、光のムラを目立たなくすることはできるものの、一端から入射した光が他端に到達したときに、その部分に配置されているＬＥＤ等の光源部分によって光が吸収されてしまい、利用できない光が多かった。これに対して、本実施形態では、第１の発光ユニット１２０及び第２の発光ユニット１３０のいずれも一端にはそれぞれ第１の反射部１２３及び第２の反射部１３３を備えている。よって、第１の入射端部１２１ｄ及び第２の入射端部１３１ｄから入射して徐々に暗くなっていく光が、第１の反射部１２３及び第２の反射部１３３で反射して戻されることで、反射して戻る光が減少した光に加えられる。よって、本実施形態の線状照明装置１００は、長い発光ユニットであっても、光の利用効率が高く、入射端部から離れた位置での明るさの減少が少なくなり、光のムラを目立たなくできる。
【００３７】
また、長さが短いことにより製造が容易な第１の発光ユニット１２０と第２の発光ユニット１３０とを用いながら、長さの長い線状照明装置１００を実現できる。また、第１の反射部１２３及び第２の反射部１３３は、上述したようにその厚さが薄いので、これらを接合した部分が目立たず、あたかも、１つの発光体であるかのように見せることができる。さらに、第１の発光ユニット１２０と第２の発光ユニット１３０とを、一体に接合して発光本体１１０を形成しているので、ケース等に固定されていない状態であっても、そのまま取り扱い、使用できる。
【００３８】
図１に戻って、ベース部１４０は、線状照明装置１００の土台となる部材であり、発光本体１１０に沿って、発光本体１１０と略等しい長さで延在している。ベース部１４０の長手方向の両端には、固定部材１５０が設けられている。
【００３９】
固定部材１５０は、ベース部１４０の長手方向の両端に固定されおり、発光本体１１０を固定する部材である。
図５は、固定部材１５０を示す斜視図である。
図６は、固定部材１５０を各種方向から示す図である。図６（ａ）は、上面図であり、図６（ｂ）は、正面図であり、図６（ｃ）は、側面図であり、図６（ｄ）は、図６（ｂ）中に矢印で示したＢＢ断面である。ここで、上面、正面、側面等の言葉は、図６における各図の構成を表しているに過ぎず、線状照明装置１００の使用形態等を限定するものではない。
固定部材１５０は、固定穴部１５０ａと、挿入切り欠き部１５０ｂと、固定穴補助部１５０ｃと、接続部１５０ｄとを備えている。
固定穴部１５０ａは、後述する支持部材１６０の外径ｄ３（図７参照）が嵌合することにより支持部材１６０を固定する固定部として機能する内径ｄ４の穴形状である。この固定穴部１５０ａは、非貫通である。
挿入切り欠き部１５０ｂは、幅ｄ５が発光本体１１０（第１の発光ユニット１２０）の外径ｄ１（図７参照）が通過可能、かつ、後述する支持部材１６０の外径ｄ３が通過不可能な切り欠き形状である。すなわち、ｄ１＜ｄ５＜ｄ３となっている。また、挿入切り欠き部１５０ｂは、切り欠かれている深さが、固定穴部１５０ａの深さよりも浅くなるように形成されている。
【００４０】
固定穴補助部１５０ｃは、固定穴部１５０ａを中心として、挿入切り欠き部１５０ｂと対向する位置に突出して設けられている。この固定穴補助部１５０ｃは、固定穴部１５０ａの穴形状と同じ内径ｄ４となるように形成された面を備えており、固定穴部１５０ａとともに支持部材１６０の外径ｄ３が嵌合するようになっている。なお、固定穴補助部１５０ｃは、固定部材１５０を樹脂成形するときの樹脂の収縮変形（いわゆる、ひけ）を防止するために設けられた形状であり、必ずしも必要な形状ではない。よって、固定穴補助部１５０ｃを設けずに、固定穴部１５０ａをこの領域まで連続して形成してもよい。
接続部１５０ｄは、ベース部１４０を接続するための形状である。
【００４１】
次に、図７から図１０を用いて、固定部材１５０に発光本体１１０（第１の発光ユニット１２０）を固定する方法を説明する。
図７は、固定部材１５０に発光本体１１０を固定する工程の第１段階を示す図である。
本実施形態の線状照明装置１００は、固定部材１５０に発光本体１１０を固定するために支持部材１６０を用いる。
支持部材１６０は、円環状に形成されており、内径側に複数箇所の支持突起部１６１を有している。本実施形態では、支持突起部１６１は、円周方向において等角度間隔で６箇所設けられている。支持突起部１６１の頂点を結ぶ内径は、φｄ２の円筒面となっている。この内径φｄ２は、発光本体１１０の外径φｄ１を最小限のガタ（隙間）で、かつ、位置不定とならない程度に嵌合する寸法に形成されている。また、支持部材１６０の外周は、外径φｄ３の円筒面となっている。この外径φｄ３は、固定穴部１５０ａの内径ｄ４に対して最小限のガタで、かつ、位置不定とならない程度に嵌合する寸法に形成されている。
【００４２】
固定部材１５０に発光本体１１０を固定するときには、まず、支持部材１６０に発光本体１１０が挿入されるように、支持部材１６０を装着する（図７中の矢印Ｓ１）。本実施形態では、発光本体１１０の両方の端部を、それぞれ支持部材１６０に挿入する。
【００４３】
図８は、固定部材１５０に発光本体１１０を固定する工程の第２段階を示す図である。
支持部材１６０に発光本体１１０を挿入すると、図８に示すような状態となる。このとき、支持部材１６０は、第１の入射端部１２１ｄよりも発光本体の中央よりに配置する。これにより、発光本体１１０の端部が突出する位置に支持部材１６０が移動した状態となる。こうすることにより、第１の入射端部１２１ｄ及び第１の発光部１２２が挿入切り欠き部１５０ｂを通過することができる。すなわち、この状態では、発光本体１１０及び支持部材１６０を固定部材１５０に対して着脱自在となっている。支持部材１６０が取り付けられた発光本体１１０は、挿入切り欠き部１５０ｂを通過させて固定部材１５０に挿入される（図８中の矢印Ｓ２）。
【００４４】
図９は、固定部材１５０に発光本体１１０を固定する工程の第３段階を示す図である。
支持部材１６０が取り付けられた発光本体１１０を固定部材１５０に挿入すると図９に示す状態となる。この状態では、発光本体１１０は、固定部材１５０に対して固定されておらず、簡単に外れてしまう状態である。この図９に示す状態から、支持部材１６０を図９中の矢印Ｓ３方向に移動させて、支持部材１６０を固定穴部１５０ａに挿入して、固定部材１５０に発光本体１１０を固定する。
【００４５】
図１０は、固定部材１５０に発光本体１１０を固定した状態を示す図である。
図１０に示した固定部材１５０に発光本体１１０を固定した状態では、支持部材１６０は、一部が固定穴部１５０ａに挿入された状態となり、かつ、残る一部には発光本体１１０が挿入された状態となっている。これにより、発光本体１１０は、固定部材１５０から外れないように固定される。すなわち、発光本体１１０の端部よりも支持部材１６０が突出する位置に支持部材１６０を移動した状態では、固定穴部１５０ａと支持部材１６０とが係合する。また、この固定部材１５０に発光本体１１０を固定した状態であっても、発光本体１１０は、その軸線を中心とした方向（図１０中の矢印Ｓ４方向）で固定部材１５０に対して、回転可能となっている。したがって、発光本体１１０から出射する照明光の照射方向を任意の方向に変更することができる。
【００４６】
以上説明したように、本実施形態によれば、第１の反射部１２３と第２の反射部１３３とを接合している。よって、発光本体１１０を単体で取り扱うことができ、かつ、発光本体１１０のみであっても使用可能な形態にできる。また、第１の反射部１２３と第２の反射部１３３とをアクリル系接着剤により接合したので、発光本体１１０のみで通常取り扱う上で必要十分な強度を有することができる。さらに、支持部材１６０を用いて固定部材１５０に発光本体１１０を固定する形態としたことにより、発光本体１１０を回転可能な状態で固定することができ、簡単な構成であっても、照明光の照射方向を容易に変更できる。
【００４７】
（第２実施形態）
図１１は、本発明による線状照明装置の第２実施形態における発光本体２１０を示す側面図である。図１１（ａ）は、発光本体２１０を通常の状態で示した図であり、図１１（ｂ）は、発光本体２１０に反射部２１３を形成する方法を説明する図である。
第２実施形態では、第１実施形態の発光本体１１０に代わり、発光本体２１０を備えている。発光本体２１０は、基本的には、第１実施形態の発光本体１１０と同様な構成を有しているが、第１実施形態における第１の反射部１２３及び第２の反射部１３３に相当する部分（反射部２１３）の構成が異なっている。
【００４８】
発光本体２１０は、第１の発光ユニット２２０と、第２の発光ユニット２３０とを有している。第１の発光ユニット２２０は、第１の導光部２２１を有し、第２の発光ユニット２３０は、第２の導光部２３１を有している。これら第１の発光ユニット２２０及び第２の発光ユニット２３０は、接続部２１１により切れ目なく一体となって繋がっている。また、第１の発光ユニット２２０と第２の発光ユニット２３０との間には、反射部２１３が設けられている。この反射部２１３は、第１実施形態における第１の反射部１２３としての機能と、第２の反射部１３３としての機能とを併せて有している。
【００４９】
第１の発光ユニット２２０及び第２の発光ユニット２３０は、元々一体で形成されており、その中央部を切除してスリット２１２を形成することにより、２つの発光ユニットとして分けられている。そして、このスリット２１２に対して反射部２１３となる反射部材を挿入して接着等により固定して、発光本体２１０を作製する。
このように、第２実施形態では、第１の発光ユニット２２０及び第２の発光ユニット２３０が接続部２１１により切れ目なく一体となって繋がっているので、第１実施形態よりもさらに強度を高めることができる。
なお、上述した以外の部分については、第１実施形態と同様な形態であるので、第１実施形態と同様の機能を果たす部分の重複する説明は、適宜省略した。
【００５０】
（第３実施形態）
図１２は、本発明による線状照明装置の第３実施形態を示す斜視図である。
第３実施形態の線状照明装置３００は、第１実施形態の線状照明装置１００に反射部材３１０を加えた形態である。よって、前述した第１実施形態と同様の機能を果たす部分には、同一の符号を付して、重複する説明を適宜省略する。
反射部材３１０は、一部が立ち曲げられた光輝アルミニウム合金等により形成されている。反射部材３１０は、立ち曲げられた角の部分で発光本体１１０を囲むようにベース部１４０に対して取り付けられている。
図１３は、線状照明装置３００を発光本体１１０の軸線に直交する面で切断した断面図である。
図１３に示すように、本実施形態の線状照明装置３００は、反射部材３１０を有することにより、発光本体１１０から出射する光の配光方向を制御することができる。
【００５１】
（変形形態）
以上説明した実施形態に限定されることなく、種々の変形や変更が可能であって、それらも本発明の範囲内である。
（１）各実施形態において、第１の導光部及び第２の導光部は、コアの周囲にクラッドを有している例を挙げて説明した。しかし、これに限らず、例えば、クラッドを省略した簡易な形態としてもよい。その場合には、第１の導光部及び第２の導光部を支持する部材が直接コアと接触することとなる。そうすると、その接触界面において線反射条件を満たすことができずに、光が漏れてしまい、光の利用効率が低下するおそれがある。特に、第１の導光部や第２の導光部の中間付近を補助的に支持する支持補助部材を備える場合には、この光漏れ量が大きくなる。そのような場合には、第１の導光部又は第２の導光部に接触する接触部を反射率の高い反射面として形成した支持補助部材を用いるとよい。
【００５２】
（２）第３実施形態において、反射部材３１０は、立ち曲げ部分以外は平面である例を示した。しかし、これに限らず、例えば、反射部材は、その一部又は全部を曲面により構成してもよい。
【００５３】
なお、第１実施形態〜第３実施形態及び変形形態は、適宜組み合わせて用いることもできるが、詳細な説明は省略する。また、本発明は以上説明した各実施形態によって限定されることはない。
【符号の説明】
【００５４】
１００    線状照明装置
１１０    発光本体
１２０    第１の発光ユニット
１２１    第１の導光部
１２１ａ  コア
１２１ｂ  クラッド
１２１ｃ  拡散部
１２１ｄ  第１の入射端部
１２１ｅ  第１の反射端部
１２２    第１の発光部
１２２ａ  発光素子
１２２ｂ  配線部
１２３    第１の反射部
１３０    第２の発光ユニット
１３１    第２の導光部
１３１ａ  コア
１３１ｂ  クラッド
１３１ｃ  拡散部
１３１ｄ  第２の入射端部
１３１ｅ  第２の反射端部
１３２    第２の発光部
１３２ａ  発光素子
１３２ｂ  配線部
１３３    第２の反射部
１４０    ベース部
１５０    固定部材
１５０ａ  固定穴部
１５０ｂ  挿入欠き部
１５０ｃ  固定穴補助部
１５０ｄ  接続部
１６０    支持部材
１６１    支持突起部
２１０    発光本体
２１１    接続部
２１２    スリット
２１３    反射部
２２０    第１の発光ユニット
２２１    第１の導光部
２３０    第２の発光ユニット
２３１    第２の導光部
３００    線状照明装置
３１０    反射部材
【図１】
2011086447.tif 000003
【図２】
2011086447.tif 000004
【図３】
2011086447.tif 000005
【図４】
2011086447.tif 000006
【図５】
2011086447.tif 000007
【図６】
2011086447.tif 000008
【図７】
2011086447.tif 000009
【図８】
2011086447.tif 000010
【図９】
2011086447.tif 000011
【図１０】
2011086447.tif 000012
【図１１】
2011086447.tif 000013
【図１２】
2011086447.tif 000014
【図１３】
2011086447.tif 000015